(57)【特許請求の範囲】
【請求項１】
車両に搭載されるワイヤハーネスの配索経路途中に、ワイヤハーネスを固定するためのクランプの設置困難領域が存在しており、前記設置困難領域を跨ぐ長さの範囲にわたり前記ワイヤハーネスを構成する電線束の外周にモールド成形による樹脂製保護材が設けられ、前記樹脂製保護材の前記設置困難領域を跨ぐ両側の位置に、前記樹脂製保護材に一体に結合されたクランプが配置され、前記クランプにより前記ワイヤハーネスが車体に固定されていることを特徴とするワイヤハーネスの配索構造。
【請求項２】
前記ワイヤハーネスが車両のドア用ワイヤハーネスであり、前記車両のドアパネルに作業用のサービスホールが形成され、前記サービスホールを覆うように前記ドアパネルの車室内側の表面にサービスホールカバーが設けられ、前記サービスホールカバーの設置された領域が前記クランプの設置困難領域とされており、前記ドア内へのワイヤハーネスの導入部からドアロック機器用のコネクタまで前記ワイヤハーネスの幹線部が直線的に配索され、前記ワイヤハーネスの幹線部が前記サービスホールカバーの上を越える範囲に前記樹脂製保護材が、前記サービスホールカバーとの間に隙間を存した状態で、設けられていることを特徴とする請求項１に記載のワイヤハーネスの配索構造。
【請求項３】
前記樹脂製保護材が発泡体により構成されていることを特徴とする請求項１又は２に記載のワイヤハーネスの配索構造。
【請求項４】
前記発泡体が、ビーズ法により発泡成形されたものであることを特徴とする請求項３に記載のワイヤハーネスの配索構造。
【発明の詳細な説明】
【技術分野】
【０００１】
本発明は、車両に搭載されるワイヤハーネスの配索構造に関するものである。
【背景技術】
【０００２】
ワイヤハーネスを車両に配索する場合、できるだけ最短ルートで配索するのが望ましい。例えば、図９に示すように、車両用ドアにワイヤハーネスを配索する場合、ドア内部へのワイヤハーネスの導入部であるグロメット３５からドアロック機器用のコネクタ３６まで、ワイヤハーネスの幹線部を配索する必要があるため、グロメット３５からドアロック機器用のコネクタ３６までを直線で結ぶルート４０に沿って、ワイヤハーネスの幹線部を配索したいという要請がある。
【０００３】
しかし、ドアパネル３０には通常、例えば、特許文献１などにも記載されているように、作業用のサービスホール３１が存在しており、ドアパネル３０の室内側表面には、サービスホール３１からの水の浸入を防ぐためのサービスホールカバー（一般的にビニール樹脂などの柔軟な材料製）３２が設置されている関係で、サービスホールカバー３２の存在する領域に、ワイヤハーネスを固定するためのクランプを設置することが困難という問題がある。
【０００４】
つまり、従来のワイヤハーネスは、一般的に、複数の電線を束ねてテープ巻きしただけの構造のものであったり、あるいは、電線束の外側に樹脂シートやチューブ等の外装材を装着し、必要に応じてさらにテープ巻きを加えただけの構造のものであったりするため、ワイヤハーネス自体に自身の形状を安定して保つほどの剛性がない。そのため、不要に撓んだり曲がったりしないように、適宜の間隔でクランプを配置してワイヤハーネスを支持する必要があるが、クランプの必要設置間隔よりもサービスホールカバー３２が大きなものである場合には、サービスホールカバー３２上にクランプを設置困難であることから、最短の直線で結ぶルート４０での配索ができなくなる。
【０００５】
そのため、実際のところは、そのような直線的なルートでの配索は行わずに、サービスホールカバー３２の上側に確保した迂回ルートに沿ってワイヤハーネス４１を配索しているのが現状である。迂回ルートでは、クランプ４３を必要設置間隔で配置することができ、安定してワイヤハーネス４１を支持することができる。
【先行技術文献】
【特許文献】
【０００６】
【特許文献１】特開平９−７６７５７号公報
【発明の概要】
【発明が解決しようとする課題】
【０００７】
ところが、迂回ルートでワイヤハーネスを配索した場合、迂回分だけ電線長が長くなり不経済である。また、余計なクランプ等の保護材が必要となるため、組付作業性が悪く、コスト高になるという問題がある。
【０００８】
本発明は、上述した事情に鑑みてなされたものであり、その目的は、最短ルートでの配索が可能となり、それにより、電線長の短縮とクランプや保護材の削減ができて、組付作業性の向上とコストの低減が可能なワイヤハーネスの配索構造を提供することにある。
【課題を解決するための手段】
【０００９】
本発明の上記目的は、下記の構成により達成される。
（１）  車両に搭載されるワイヤハーネスの配索経路途中に、ワイヤハーネスを固定するためのクランプの設置困難領域が存在しており、前記設置困難領域を跨ぐ長さの範囲にわたり前記ワイヤハーネスを構成する電線束の外周にモールド成形による樹脂製保護材が設けられ、前記樹脂製保護材の前記設置困難領域を跨ぐ両側の位置に、前記樹脂製保護材に一体に結合されたクランプが配置され、前記クランプにより前記ワイヤハーネスが車体に固定されていることを特徴とするワイヤハーネスの配索構造。
【００１０】
（２）  前記ワイヤハーネスが車両のドア用ワイヤハーネスであり、前記車両のドアパネルに作業用のサービスホールが形成され、前記サービスホールを覆うように前記ドアパネルの車室内側の表面にサービスホールカバーが設けられ、前記サービスホールカバーの設置された領域が前記クランプの設置困難領域とされており、前記ドア内へのワイヤハーネスの導入部からドアロック機器用のコネクタまで前記ワイヤハーネスの幹線部が直線的に配索され、前記ワイヤハーネスの幹線部が前記サービスホールカバーの上を越える範囲に前記樹脂製保護材が、前記サービスホールカバーとの間に隙間を存した状態で、設けられていることを特徴とする上記（１）に記載のワイヤハーネスの配索構造。
【００１１】
（３）  前記樹脂製保護材が発泡体により構成されていることを特徴とする上記（１）又は（２）に記載のワイヤハーネスの配索構造。
【００１２】
（４）  前記発泡体が、ビーズ法により発泡成形されたものであることを特徴とする上記（３）に記載のワイヤハーネスの配索構造。
【００１３】
上記（１）の構成のワイヤハーネスの配索構造によれば、クランプの設置困難領域を跨ぐ長さの範囲にわたり、ワイヤハーネスを構成する電線束の外周にモールド成形による樹脂製保護材を設けたので、樹脂製保護材を設けた範囲に、不要に撓んだり曲がったりしない、自身の形状を十分に保持し得るだけの剛性を持たせることができる。
【００１４】
従って、クランプの設置困難領域に何も支持をとらずに、設置困難領域を跨ぐ両側の位置にクランプを設けるだけで、ワイヤハーネスを安定的に支持することができ、配索経路途中にクランプの設置困難領域があるにも拘わらず、ワイヤハーネスを最短ルートで配索することができる。
【００１５】
従って、迂回ルートで配索する場合に比べて、電線長を削減することができるし、また、迂回ルートで配索する場合の余分な保護材やクランプの削減を図ることができるので、取付作業性の向上やコスト削減も図れる。
【００１６】
また、従来では電線を保護するためにコルゲートチューブやビニールシートあるいはテープ等の多種多様な外装材（保護材）を手作業で電線束に後付けにより取り付けていたが、本発明では、樹脂製保護材の一括モールド成形を施すだけで、電線束を保護できるようになるため、外装材の取付作業性の向上が図れる。
【００１７】
また、クランプもモールド成形時に樹脂製保護材に一体化されているので、クランプと電線束の結合作業の簡易化も図ることができる。
【００１８】
上記（２）の構成のワイヤハーネスの配索構造によれば、ドア用のワイヤハーネスの幹線部を、ドア内への導入部からドアロック機器のコネクタまで配索する場合に、途中にサービスホールカバーがあるにも拘わらず、直線的なルートで配索することができるので、電線長を短縮することができると共に、無駄なクランプや保護材の数を減らすことができ、組付作業性の向上とコストダウンを図ることができる。
【００１９】
また、ワイヤハーネスの幹線部がサービスホールカバーの上を越える範囲の樹脂保護材と、サービスホールカバーとの間に隙間が確保されているので、サービスホールカバーの取り外しに支障を来すこともない。
【００２０】
上記（３）の構成のワイヤハーネスの配索構造によれば、電線束の外側を緩衝性を持つ発泡体で覆うので、周辺部品との干渉や電線間の干渉による摩耗・異音の発生も無くせる。
【００２１】
また、例えば、硬質の樹脂製保護材で電線束を覆うようにした場合は、樹脂材と電線との間の固着力が大きくなるため、成形後の養生時に電線と樹脂材との膨張率差に起因して、樹脂材や電線に余計な応力が加わり、最悪の場合は、樹脂材が破損したり電線が断線したりするおそれがあるが、発泡体を電線束の外側にモールド成形した場合は、電線と発泡体との間に滑りを発生させて固着力を低く抑えることができるため、養生時に材料間に発生する膨張差を吸収することができ、熱膨張差による成形体の破損や電線の断線等の不具合の発生を防ぐことができる。
【００２２】
上記（４）の構成のワイヤハーネスによれば、発泡体がビーズ法（一次発泡した米粒程度の大きさのビーズを金型内に敷き詰め、それを加熱し、二次発泡させる発泡方法）で発泡成形されているので、電線束の外表面の複雑で微細な凹凸に発泡体が入りにくくなり、固着量をさらに低く抑えることができる。
【発明の効果】
【００２３】
本発明によれば、クランプの設置困難領域（ドアパネルのサービスホールカバーが存在する領域など）に何も支持をとらず、設置困難領域を跨ぐ両側の位置にクランプを設けるだけで、ワイヤハーネスを安定的に支持することができ、配索経路途中にクランプの設置困難領域があるにも拘わらず、ワイヤハーネスを最短ルートで配索することができる。
従って、迂回ルートで配索する場合に比べて、電線長を削減することができるし、また、迂回ルートで配索する場合の余分な保護材やクランプの数を減らすことができるので、取付作業性の向上やコスト削減も図れる。
【図面の簡単な説明】
【００２４】
【図１】本発明を車両のドア用ワイヤハーネスの配索構造に適用した場合の実施形態を示す構成図で、図１（ａ）は側面図、図１（ｂ）は図１（ａ）のＩｂ−Ｉｂ矢視断面図、図１（ｃ）は図１（ｂ）のＩｃ−Ｉｃ矢視断面図、図１（ｄ）は図１（ｂ）のＩｄ−Ｉｄ矢視断面図である。
【図２】実施形態の配索構造に用いるワイヤハーネスの製造工程の説明図である。
【図３】図２の次の工程の説明図である。
【図４】図３の次の工程の説明図である。
【図５】図４の次の工程の説明図である。
【図６】図５の次の工程の説明図である。
【図７】図６の次の工程の説明図である。
【図８】図７の次の工程の説明図である。
【図９】従来のドア用ワイヤハーネスの配索構造を示す側面図である。
【発明を実施するための形態】
【００２５】
以下、本発明の実施形態を図面を参照して説明する。
図１は実施形態のワイヤハーネスの配索構造を示す構成図で、図１（ａ）は側面図、図１（ｂ）は図１（ａ）のＩｂ−Ｉｂ矢視断面図、図１（ｃ）は図１（ｂ）のＩｃ−Ｉｃ矢視断面図、図１（ｄ）は図１（ｂ）のＩｄ−Ｉｄ矢視断面図である。
【００２６】
この配索構造では、図１（ａ）及び（ｂ）に示すような構成のワイヤハーネスＷＨを使用している。このワイヤハーネスＷＨは、ドアパネル３０の車室内側に配索するドア用ワイヤハーネスであり、このドア用ワイヤハーネスＷＨは、ドア内部へのワイヤハーネスＷＨの導入部であるグロメット３５からドアロック機器用のコネクタ３６まで幹線部（枝線は図示略）を配索する必要がある。
【００２７】
このワイヤハーネスＷＨの幹線部を最短ルートで直線的に配索する場合、配索経路途中に、ワイヤハーネスＷＨを固定するためのクランプ５を設置することのできないサービスホールカバー（クランプの設置困難領域）３２が存在している。サービスホールカバー３２は、ドアパネル３０に形成されたに作業用のサービスホール３１を車室内側から覆うもので、ビニールシート等の剛性の小さい材料で構成され、ブチルゴム３３などによってドアパネル３０の表面に貼り付けられている。
【００２８】
そのため、サービスホールカバー３２の上にはクランプ５を配置することはできない。そこで、このワイヤハーネスＷＨでは、サービスホールカバー３２を跨ぐ長さの範囲にわたり、ワイヤハーネスＷＨを構成する電線束Ｗの外周に、モールド成形による樹脂製保護材１が設けられている。また、樹脂製保護材１のサービスホールカバー３２を跨ぐ両側の位置に、樹脂製保護材１に一体に結合された状態でクランプ５が配置されている。そして、図１（ｃ）に示すように、それらクランプ５により、ワイヤハーネスＷＨがドアパネル（車体）３０に固定されている。
【００２９】
また、樹脂製保護材１には、長さ方向の両端部１ｂに比べて中間部１ａが高くなるように、両端部１ｂと中間部１ａの間に段差部１ｃが設けられており、この構成により、両端部１ｂに設けられたクランプ５をドアパネル３０に固定した際に、図１（ｄ）に示すように、樹脂保護材１の中間部１ａとサービスホールカバー３２との間に隙間６が確保されている。
【００３０】
また、この場合の樹脂製保護材１は、電線束Ｗの外側を全周にわたって覆うようにモールド成形された発泡体１によって構成されている。特に、この発泡体１は、ビーズ法により発泡成形されたものであり、例えば、ビーズ法ポリスチレンフォームよりなる。ビーズ法ポリスチレンフォームは、ポリスチレン樹脂と炭化水素系の発泡剤からなる原料ビーズを予備発泡させた後に、金型に充填し加熱することによって作られている。また、ビーズ法ポリスチレンフォーム以外に、ビーズ法ポリウレタンフォームやビーズ法ポリプロピレンフォーム等で代替することもできる。
【００３１】
以上のように、クランプ５の設置困難領域であるサービスホールカバー３２を跨ぐ長さの範囲にわたり、ワイヤハーネスＷＨを構成する電線束Ｗの外周にモールド成形による樹脂製保護材１を設けたので、樹脂製保護材１を設けた範囲に、不要に弛んだり曲がったりしない、自身の形状を十分に保持し得るだけの剛性を持たせることができる。従って、サービスホールカバー３２に何も支持をとらずに、サービスホールカバー３２を跨ぐ両側の位置にクランプ５を設けるだけで、ワイヤハーネスＷＨを安定的に支持することができ、配索経路途中にサービスホールカバー３２（クランプの設置困難領域）があるにも拘わらず、ワイヤハーネスＷＨを最短ルートで配索することができる。
【００３２】
従って、従来のように迂回ルートで配索する場合に比べて、電線長を削減することができるし、また、迂回ルートで配索する場合の余分な保護材やクランプの削減を図ることができるので、取付作業性の向上やコスト削減も図れる。
【００３３】
また、従来では電線を保護するためにコルゲートチューブやビニールシートあるいはテープ等の多種多様な外装材（保護材）を手作業で電線束に後付けにより取り付けていたが、本実施形態では、樹脂製保護材１の一括モールド成形を施すだけで、電線束Ｗを保護できるようになるため、外装材の取付作業性の向上が図れる。
【００３４】
また、クランプ５もモールド成形時に樹脂製保護材１に一体化されているので、クランプ５と電線束Ｗの結合作業の簡易化も図ることができる。
【００３５】
また、ワイヤハーネスＷＨの幹線部がサービスホールカバー３２の上を越える範囲の樹脂保護材１と、サービスホールカバー３２との間に隙間６が確保されているので、サービスホールカバー３２の取り外しに支障を来すこともない。
【００３６】
また、このワイヤハーネスの配索構造では、電線束Ｗの外側を緩衝性を持つ発泡体（樹脂製保護材１）で覆うので、周辺部品との干渉や電線間の干渉による摩耗・異音の発生も無くせる。
【００３７】
また、例えば、硬質の樹脂製保護材で電線束を覆うようにした場合は、樹脂材と電線との間の固着力が大きくなるため、成形後の養生時に電線と樹脂材との膨張率差に起因して、樹脂材や電線に余計な応力が加わり、最悪の場合は、樹脂材が破損したり電線が断線したりするおそれがあるが、発泡体を電線束の外側にモールド成形した場合は、電線と発泡体との間に滑りを発生させて固着力を低く抑えることができるため、養生時に材料間に発生する膨張差を吸収することができ、熱膨張差による成形体の破損や電線の断線等の不具合の発生を防ぐことができる。
【００３８】
特に、発泡体がビーズ法（一次発泡した米粒程度の大きさのビーズを金型内に敷き詰め、それを加熱し、二次発泡させる発泡方法）で発泡成形されている場合は、電線束の外表面の複雑で微細な凹凸に発泡体が入りにくくなり、固着量をさらに低く抑えることができる。
【００３９】
次に、この配索構造に使用するワイヤハーネスＷＨの製造方法について説明する。
まず、図２に示すように、配索治具１２が設けられた配索治具板１０の上に下型１１を固定し、下型１１の内部にクランプ５を配置する。そして、この配索治具板１０の上に、図３に示すように、端末にコネクタＣが取り付けられた電線束（サブワイヤハーネス）Ｗを配索し、電線束Ｗのうち、樹脂製保護材（以下、発泡体という）１で覆う予定の箇所を、下型１１の内部に収容する。
【００４０】
電線束Ｗを配索したら、次に図４に示すように、下型１１の上に上型１３を被せて、上型１３と下型１１を型締めする。型締めしたら、図５に示すように、成形材料２０を、下型１１と上型１３で形成されるキャビティ（図示略）に充填する。ここでは、一次発泡させた原料ビーズを充填する。
【００４１】
充填したら、図６に示すように、スチーム２１をキャビティに導入し加熱する。加熱した発泡させたら、図７に示すように養生して冷却する。冷却が完了したら、図８に示すように、上型１３を取り外し、下型１１から、成形された発泡体１を脱型させる。これにより、電線束Ｗの必要箇所が発泡体１で覆われたワイヤハーネスＷＨが得られる。
【００４２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４３】
ＷＨ  ワイヤハーネス
Ｗ  電線
１  樹脂製保護材（発泡体）
５  クランプ
６  隙間
３０  ドアパネル
３１  サービスホール
３２  サービスホールカバー（クランプの設置困難領域）
３５  グロメット（ワイヤハーネスの導入部）
３６  ドアロック機構のコネクタ
【図１】
0005683250.tif 000002
【図２】
0005683250.tif 000003
【図３】
0005683250.tif 000004
【図４】
0005683250.tif 000005
【図５】
0005683250.tif 000006
【図６】
0005683250.tif 000007
【図７】
0005683250.tif 000008
【図８】
0005683250.tif 000009
【図９】
0005683250.tif 000010